(57)【要約】【課題】横引き式ゲ−トの周縁側に取り付けられた両側部水密ゴムと断面形状が異なる下部水密ゴムが交わる両下部コーナー部に、側部水密ゴムに連接し且つ下部水密ゴムに連接する新規な下部コーナー部水密ゴムを取り付けることにより、断面形状が異なることによる両下部コーナー部からの水漏れを防いで水密性を高める。【解決手段】横引き式ゲ−ト１に断面略Ｐ字型水密ゴム３１から構成される側部水密ゴム４と断面略Ｌ字型水密ゴム５１から構成される下部水密ゴム５を取り付け、両側部水密ゴム４と断面形状が異なる下部水密ゴム５が交わる両下部コーナー部に、側部水密ゴム４に連接し且つ下部水密ゴム５に連接する下部コーナー部水密ゴム６を取り付ける。【選択図】        図１
2007291759.tif 000002
【特許請求の範囲】
【請求項１】
開口部を開閉する横引き式ゲートの両側部に開口部の両側の側部戸当りに水圧により密着する丸み状密着片と板状取付片とからなる断面略Ｐ字型水密ゴムから構成される側部水密ゴムを該ゲートの上下方向に取り付け、横引き式ゲ−トの下端側に上記開口部の底面と同一平面の底面に水圧により撓んで密着する傾斜板状密着片と板状取付片からなる断面略Ｌ字型水密ゴムから構成される下部水密ゴムを該ゲートの幅方向に取り付け、両側部水密ゴムと断面形状が異なる下部水密ゴムが交わる両下部コーナー部に、側部水密ゴムに連接し且つ下部水密ゴムに連接する下部コーナー部水密ゴムを取り付けると共に、当該下部コーナー部水密ゴムを、断面略Ｐ字型水密ゴムと上下で連接する同一断面形状の丸み状密着片と板状取付片とからなる断面略Ｐ字型コーナー片と、断面略Ｌ字型水密ゴムの板状取付片の端部と左右で連接する同一断面形状の板状コーナー取付片と、断面略Ｐ字型コーナー片の丸み状密着片の外周側に密着して設けられ上記開口部の下部側の側部戸当りに水圧により密着する側部補助密着片と、上記開口部の底面と同一平面の底面に水圧により撓んで密着し且つ断面略Ｐ字型コーナー片の丸み状密着片の外周側に周り込み該丸み状密着片の側部戸当りとの密着先端面と平面から見て同じ位置まで延設され断面略Ｌ字型水密ゴムの傾斜板状密着片の端部と左右で連接する同一断面形状の傾斜板状コーナー密着片と、から一体的に構成したことを特徴とする横引き式ゲートの水密構造。
【請求項２】
下部水密ゴムの傾斜板状密着片及び下部コーナー部水密ゴムの傾斜板状コーナー密着片の先端に底部補助密着片を設けた請求項１記載の横引き式ゲートの水密構造。
【請求項３】
下部コーナー部水密ゴムの傾斜板状コーナー密着片及び断面略Ｐ字型コーナー片の下面側に、水密の補助と傾斜板状コーナー密着片の捲れ込み防止用の底部補助片を設けた請求項１記載の横引き式ゲートの水密構造。
【発明の詳細な説明】
【技術分野】
【０００１】
この発明は、例えば海岸の防波堤開口部に設置されその開口部を開閉する横引き式ゲートに係り、特に、横引き式ゲ−トの周縁側に取り付けられた両側部水密ゴムと断面形状が異なる下部水密ゴムが交わる両下部コーナー部に、側部水密ゴムに連接し且つ下部水密ゴムに連接する新規な下部コーナー部水密ゴムを取り付けることにより、断面形状が異なることによる両下部コーナー部からの水漏れを防ぐ横引き式ゲートの水密構造に関するものである。
【背景技術】
【０００２】
横引き式ゲ−ト（通称：陸閘）は例えば海岸の防波堤開口部に設置される。通常この開口部は海側の船着き場と内陸側を結ぶ通路となっているが、高潮や津波等が予想される時は横引き式ゲ-トを閉鎖し内陸側への浸水を防止する。横引き式ゲ-トは、開口部の海側に設置され、開口部に対して左右横方向に移動して、その開口部を開閉する構造になっている。また、横引き式ゲ-トには閉じた開口部との水密を図るために、上部水密ゴム、両側部水密ゴム、及び下部水密ゴムがゲートの周縁側に取り付けられている。
【発明の開示】
【発明が解決しようとする課題】
【０００３】
しかしながら、一般的に海岸の防波堤開口部の通路底面には横引き式ゲ-トの走行ロ−ラを案内する突起型レ−ルや下部水密１０１を確保するための段差Ｈが設けられ、これらが通行時の障害となっている（段差式水密構造：図６（Ａ）参照）。
また、通常、下部水密ゴムを圧着し下部水密１０１を確保したり、走行抵抗低減のため圧着を解除するために扉体昇降装置１０２を設けるが、これらの装置で設備費の増加、構造の複雑化、操作の煩雑化などの原因となっている（扉体昇降式水密構造：図６（Ｂ）（Ｃ）参照）。
これらを解消する案として、図７に図示するように、防波堤開口部の通路面に突起型レールや段差を設けずに平坦面にする一方で、横引き式ゲ−トの下部水密に平坦面での水密性を高める断面略Ｌ字型水密ゴム１１１を使用し、両側部水密に側部戸当りとの水密性を高める断面略Ｐ字型水密ゴム１１２の使用が考えられるが、断面形状の異なる水密ゴムを単純に組み合わせた場合、下部コ−ナー部に△状の隙間１１３が発生し水密が確保出来ない。
また、側部水密の断面略Ｐ字型水密ゴムの下端１１４は底面に圧着させないと水密が確保出来ない。圧着するためには昇降装置が必要、昇降装置がない場合は取付け時点からゲート自重を利用し圧着することになるが、この場合は走行抵抗が大きくなり、また接触面の異常摩耗が発生し水密が保てなくなる。
【０００４】
この発明は、上記のような課題に鑑み、その課題を解決すべく創案されたものであって、その目的とするところは、横引き式ゲ−トの周縁側に取り付けられた両側部水密ゴムと断面形状が異なる下部水密ゴムが交わる両下部コーナー部に、側部水密ゴムに連接し且つ下部水密ゴムに連接する新規な下部コーナー部水密ゴムを取り付けることにより、断面形状が異なる水密ゴムが交わる両下部コーナー部からの水漏れを防いで水密性を高めることのできる横引き式ゲ−トを提供することにある。
【課題を解決するための手段】
【０００５】
以上の目的を達成するために、この発明は、開口部を開閉する横引き式ゲートの両側部に開口部の両側の側部戸当りに水圧により密着する丸み状密着片と板状取付片とからなる断面略Ｐ字型水密ゴムから構成される側部水密ゴムを該ゲートの上下方向に取り付け、横引き式ゲ−トの下端側に上記開口部の底面と同一平面の底面に水圧により撓んで密着する傾斜板状密着片と板状取付片からなる断面略Ｌ字型水密ゴムから構成される下部水密ゴムを該ゲートの幅方向に取り付け、両側部水密ゴムと断面形状が異なる下部水密ゴムが交わる両下部コーナー部に、側部水密ゴムに連接し且つ下部水密ゴムに連接する下部コーナー部水密ゴムを取り付けると共に、当該下部コーナー部水密ゴムを、断面略Ｐ字型水密ゴムと上下で連接する同一断面形状の丸み状密着片と板状取付片とからなる断面略Ｐ字型コーナー片と、断面略Ｌ字型水密ゴムの板状取付片の端部と左右で連接する同一断面形状の板状コーナー取付片と、断面略Ｐ字型コーナー片の丸み状密着片の外周側に密着して設けられ上記開口部の下部側の側部戸当りに水圧により密着する側部補助密着片と、上記開口部の底面と同一平面の底面に水圧により撓んで密着し且つ断面略Ｐ字型コーナー片の丸み状密着片の外周側に周り込み該丸み状密着片の側部戸当りとの密着先端面と平面から見て同じ位置まで延設され断面略Ｌ字型水密ゴムの傾斜板状密着片の端部と左右で連接する同一断面形状の傾斜板状コーナー密着片と、から一体的に構成した手段よりなるものである。
【発明の効果】
【０００６】
以上の記載より明らかなように、この発明に係る横引き式ゲートの水密構造によれば、次のような優れた効果を奏することができる。
（１）横引き式ゲ−トの周縁側に取り付けられた両側部水密ゴムと断面形状が異なる下部水密ゴムが交わる両下部コーナー部に、側部水密ゴムに連接し且つ下部水密ゴムに連接する新規な下部コーナー部水密ゴムを取り付けることにより、断面形状が異なる水密ゴムが交わる両下部コーナー部からの水漏れを防いで水密性を高めることができる。
（２）下部コーナー部水密ゴムは側部水密ゴムの断面略Ｐ字型水密ゴムに連接し且つ下部水密ゴムの断面略Ｌ字型水密ゴムに連接して下部コーナー部からの水漏れを防ぐために、横引き式ゲ−トの下部水密に断面略Ｌ字型水密ゴムを使用でき、横引き式ゲ−トの下部水密に使用する断面略Ｌ字型水密ゴムは底面と接触する傾斜板状密着片の撓みで底面の水密面に接するため接触圧力が低く、横引き式ゲ−トの移動時の摺動抵抗を小さくでき、横引き式ゲ−トの開閉のための移動をスムーズに行うことが可能となる。
（３）下部コーナー部水密ゴムは側部水密ゴムの断面略Ｐ字型水密ゴムに連接し且つ下部水密ゴムの断面略Ｌ字型水密ゴムに連接して下部コーナー部からの水漏れを防ぐために、下部水密に断面略Ｌ字型水密ゴムを使用でき、又側部水密に断面略Ｐ字型水密ゴムを使用できるので、断面略Ｌ字型水密ゴムは傾斜板状密着片に作用する水圧を利用して底面に押し付けて水密を図ることができ、断面略Ｐ字型水密ゴムは丸み状密着片が作用する水圧により少し潰れて開口部の側部戸当りに押し付けて水密を図ることができる。
（４）下部水密に断面略Ｌ字型水密ゴムを使用することで通路となる水密面を平坦に出来る為、陸閘通路部のバリアフリ−化が図れ、地元住民の生活により密着した施設となり得る。
（５）下部水密に断面略Ｌ字型水密ゴムを使用することでゲートを昇降させて水密ゴムを圧着する必要が無い。このためゲート昇降装置が不要となり設備費用の低減、扉体構造や操作装置が簡素化でき、設備の信頼性が向上する。
（６）電動操作する場合、扉体昇降装置があれば当然これも電動で操作するようになり制御系統が複雑化するが昇降装置がなければ操作系統も簡素化でき、操作制御設備の信頼性が向上する。
（７）請求項２のように、下部水密ゴムの傾斜板状密着片及び下部コーナー部水密ゴムの傾斜板状コーナー密着片の先端に底部補助密着片を設けた場合には、密着面積を広げて水密性をさらに高めることができる。
（８）請求項３のように、下部コーナー部水密ゴムの傾斜板状コーナー密着片及び断面略Ｐ字型コーナー片の下面側に、水密の補助と傾斜板状コーナー密着片の捲れ込み防止用の底部補助片を設けた場合には、水密をさらに高めることができると共に、傾斜板状コーナー密着片の捲れ込みを防ぐことができる。
【発明を実施するための最良の形態】
【０００７】
以下、図面に記載の発明を実施するための最良の形態に基づいて、この発明をより具体的に説明する。
【０００８】
図において、横引き式ゲ−ト（通称：陸閘）１は、例えば海岸の防波堤２の開口部２１に設置されその開口部２１を開閉するゲートで、防波堤２の海側ａに設置され、開口部２１に対して左右横方向に移動距離Ｃの範囲で移動して、その開口部２１を開閉する構造になっている。防波堤２の開口部２１は例えば方形状の形状からなり、開口部２１の全開時の開口幅はＤであり、これを開閉する横引き式ゲ−ト１もこれよりも大きな方形状の形状からなっている。
【０００９】
横引き式ゲ−ト１は、例えば四角形で板状のスキンプレート、スキンプレートの陸側ｂに臨む側の表面に周縁側及び内側に縦横に取り付けられた補強桁などから構成されている。横引き式ゲ−ト１のスキンプレートはこれらの補強桁によって補強されて剛性が高められている。
【００１０】
横引き式ゲ−ト１の開口部２１側と反対側の側端の上部及び下部には上部張出体１１と下部張出体１２がそれぞれ一体的に設けられている。上部張出体１１の上端には後述の上部ガイドローラ１３が取り付けられている。また、下部張出体１２の下端側には後述の下部ガイドローラ１４が取り付けられている。
【００１１】
横引き式ゲ−ト１が設置される海側に面する防波堤２の開口部２１の上端より少し上側の壁面には、横引き式ゲ−ト１の横移動をガイドする上部ガイドレール２２が水平に取り付けられている。上部ガイドレール２２は断面溝型になっていて、溝は下向きになっている。上部ガイドレール２２は、防波堤２の海側に面する側の壁面に取り付けられた複数の取付片２２ａに連結されて吊持されている
【００１２】
上部ガイドレール２２の下向きの溝内には横引き式ゲ−ト１の上端側に適宜間隔で取り付けられた複数の上部ガイドローラ１３が嵌合されている。上部ガイドローラ１３は横引き式ゲ−ト１の上端から上方に垂直に取り付けられた垂直軸１３ａに回転自在に取り付けられている。横引き式ゲ−ト１は上端に取り付けられた上部ガイドローラ１３が上部ガイドレール２２の溝内を案内されることによって、傾くことなくスムーズに横移動される。
【００１３】
横引き式ゲ−ト１の下端側には複数の下部ガイドローラ１４が適宜間隔で取り付けられている。各下部ガイドローラ１４は水平軸回りに回転自在に取り付けられている。また、各下部ガイドローラ１４は横引き式ゲ−ト１の内部に取り付けられ、回転するローラの最下端側が横引き式ゲ−ト１の下端から僅かに突出するように取り付けられている。
【００１４】
防波堤２の開口部２１の通路底面を除く横引き式ゲ−ト１が横移動して開口部２１を全開する側の底面には上部ガイドレール２２に平行に下部ガイドレール２３が敷設されている。下部ガイドレール２３は横引き式ゲ−ト１の下部ガイドローラ１４をガイドするレールで下部ガイドローラ１４はこの下部ガイドレール２３上を転動する。下部ガイドレール２３の長さＳは全開時の横引き式ゲ−ト１の待機位置での範囲であり、下部ガイドレール２３はその上部側が底面より一部突起しているが、開口部２１の通路底面には敷設されていないため、開口部２１の通行時に障害となることはない。
【００１５】
開口部２１の反対側の下部ガイドレール２３の端部側には全開ストッパー２４が突設されていて、開口部２１を全開した横引き式ゲ−ト１の下部張出体１２の先端が全開ストッパー２４に当接することで、横引き式ゲ−ト１がさらに開口部２１より離れる側に横移動するのが防止されている。
【００１６】
また、開口部２１を挟んで下部ガイドレール２３の延長線上の開口部２１の側方底面には全閉ストッパー２５が突設されていて、開口部２１を全閉した横引き式ゲ−ト１の側端の下部が全開ストッパー２４に当接することで、横引き式ゲ−ト１を所定の全閉位置で停止させると共に、横引き式ゲ−ト１が全閉した開口部２１を再び開く側にさらに横移動するのが防止されている。
【００１７】
高潮や津波等が予想される時は防波堤２の開口部２１を閉じ内陸側への浸水を防止する横引き式ゲ-ト１には、閉じた開口部２１からの水漏れを防いで水密を図るために、上部水密ゴム３、両側の側部水密ゴム４、下部水密ゴム５及び両側の下部コーナー部水密ゴム６が方形状のゲートの周縁側に連接状態で取り付けられている。
【００１８】
上部水密ゴム３は横引き式ゲ−ト１の上端側からの水漏れを防ぐもので、横引き式ゲ−ト１の上端側の周縁側と開口部２１の上辺の上側の防波堤２の壁面に形成される上部戸当りとの隙間に取り付けられている。上部水密ゴム３は断面略Ｐ字型水密ゴム３１から形成されている。断面略Ｐ字型水密ゴム３１は横引き式ゲ−ト１の上端側の周縁側の幅方向にその断面の長さ方向を向けて取り付けられている。
【００１９】
上部水密ゴム３を構成する断面略Ｐ字型水密ゴム３１は、開口部２１の上部戸当りに密着する断面が例えば円形状で内部に例えば円形な中空部を有する丸み状密着片３１ａと、横引き式ゲ−ト１の上端側の周縁側の幅方向に取り付けられる板状取付片３１ｂとから構成されている。断面略Ｐ字型水密ゴム３１は、水圧により丸み状密着片３１ａが少し潰れた状態で開口部２１の上部戸当りに圧着されて密着することで、横引き式ゲ−ト１の上端側の水漏れを防いで水密を図る構造になっている。
【００２０】
側部水密ゴム４は横引き式ゲ−ト１の左右の側部からの水漏れを防ぐもので、横引き式ゲ−ト１の左右の側部の上下方向の周縁側と開口部２１の左右の上下方向の側辺の外側方の防波堤２の壁面に形成される側部戸当り２１ａとの隙間に取り付けられている。下部水密ゴム５は前記の上部水密ゴム３と同一断面形状の断面略Ｐ字型水密ゴム４１から形成されている。断面略Ｐ字型水密ゴム４１は横引き式ゲ−ト１の左右の側部の周縁側の上下方向にその断面の長さ方向を向けて取り付けられている。
【００２１】
側部水密ゴム４を構成する断面略Ｐ字型水密ゴム４１は、開口部２１の側部戸当り２１ａに密着する断面が例えば円形状で内部に例えば円形な中空部を有する丸み状密着片４１ａと、横引き式ゲ−ト１の左右の側部の周縁側の上下方向に取り付けられる板状取付片４１ｂとから構成されている。断面略Ｐ字型水密ゴム４１は、水圧により丸み状密着片４１ａが少し潰れた状態で開口部２１の側部戸当り２１ａに圧着されて密着することで、横引き式ゲ−ト１の左右の側部の水漏れを防いで水密を図る構造になっている。
【００２２】
上部水密ゴム３の左右両端と左右の側部水密ゴム４の上端とは、接着剤などによって一体化されている。上部水密ゴム３と側部水密ゴム４とは同一断面形状の断面略Ｐ字型水密ゴム３１，４１から構成されているため、上部水密ゴム３の左右両端を上側が突出する４５度の角度で切断し、また、左右の側部水密ゴム４の上端を外側がそれぞれ突出する４５度の角度で切断し、その切断面を同士を接合４ａして一体化している。上部水密ゴム３の左右両端と左右の側部水密ゴム４の上端との上部コーナー部での接合は、共に同一断面形状の断面略Ｐ字型水密ゴム３１，４１の接合であるのでスムーズな接合となり、この上部コーナー部からの水漏れの虞はない。
【００２３】
下部水密ゴム５は横引き式ゲ−ト１の下端側からの水漏れを防ぐもので、開口部２１の底面より少し海側ａに突出する横引き式ゲ−ト１の下端側の周縁側に取り付けられている。下部水密ゴム５は断面略Ｌ字型水密ゴム５１から形成されている。断面略Ｌ字型水密ゴム５１は横引き式ゲ−ト１の下端側の周縁側の幅方向にその断面の長さ方向を向けて取り付けられている。
【００２４】
下部水密ゴム５を構成する断面略Ｌ字型水密ゴム５１は、開口部２１より少し前方側つまり海側ａ寄りで開口部２１の底面と段差のない同一平面の底面に軽く接触する断面が海側ａに向けて斜め下向きに傾斜する傾斜板状密着片５１ａと、横引き式ゲ−ト１の下端側の周縁側の幅方向に取り付けられる上下向きの板状取付片５１ｂとから構成されている。
【００２５】
下部水密ゴム５の傾斜板状密着片５１ａは底面に軽く接触しており、横引き式ゲ−ト１の移動時の摺動抵抗を小さくしている。断面略Ｌ字型水密ゴム５１は、傾斜板状密着片５１ａが水圧により少し撓んだ状態で開口部２１より少し海側ａ寄りの開口部２１の底面と段差のない同一平面の底面に圧着されて密着することで、横引き式ゲ−ト１の下端側の水漏れを防いで水密を図る構造になっている。
【００２６】
両側部水密ゴム４と下部水密ゴム５が交わる両下部コーナー部は、前記の両上部コーナー部と異なり、両側部水密ゴム４と下部水密ゴム５の断面形状が異なるため、簡単に接合することができず、また水漏れを防ぐことができない。このため、両側部水密ゴム４と断面形状が異なる下部水密ゴム５が交わる両下部コーナー部には、側部水密ゴム４に連接６ａし且つ下部水密ゴム５に連接６ｂして下部コーナー部からの水漏れを防ぐ新規な下部コーナー部水密ゴム６が取り付けられている。
【００２７】
下部コーナー部水密ゴム６は、側部水密ゴム４の下端と上下で連接する断面略Ｐ字型コーナー片６１と、下部水密ゴム５の板状取付片５１ｂの端部と左右で連接する板状コーナー取付片６２と、開口部２１の側部戸当り２１ａの下部側と水圧により密着する側部補助密着片６３と、下部水密ゴム５の傾斜板状密着片５１ａの端部と左右で連接する傾斜板状コーナー密着片６４とから構成されている。断面略Ｐ字型コーナー片６１、板状コーナー取付片６２、側部補助密着片６３及び傾斜板状コーナー密着片６４から一体的に構成される下部コーナー部水密ゴム６は一体成形されて作られる。
【００２８】
断面略Ｐ字型コーナー片６１は側部水密ゴム４の断面略Ｐ字型水密ゴム４１の断面形状と同一断面形状からなっている。断面略Ｐ字型コーナー片６１は断面方向が上下向きになるように設けられている。即ち、断面略Ｐ字型コーナー片６１は、開口部２１の下部側の側部戸当り２１ａに水圧により密着する断面が例えば円形状で内部に例えば円形な中空部を有する丸み状密着片６１ａと、横引き式ゲ−ト１の左右の下部コーナー部の側部側の周縁側の上下方向に取り付けられる板状取付片６１ｂとから構成されている。断面略Ｐ字型コーナー片６１は、丸み状密着片６１ａが水圧により少し潰れた状態で開口部２１の下部側の側部戸当り２１ａに圧着されて密着することで、横引き式ゲ−ト１の下部コーナー部の左右の側部の水漏れを防ぐ。
【００２９】
断面略Ｐ字型コーナー片６１の上端は、断面略Ｐ字型水密ゴム４１の下端に例えば接着剤などによって一体的に連接されている。また、断面略Ｐ字型コーナー片６１の下端は、開口部２１の底面と同一平面の底面より少し上側の底面に非接触の位置に設けられている。横引き式ゲ−ト１の開閉移動時に断面略Ｐ字型コーナー片６１の下端が底面に接触して開閉時の接触抵抗となるのが防がれている。断面略Ｐ字型コーナー片６１の下端は、傾斜板状コーナー密着片６４の傾斜上端側と略同じ高さになるように設けられている。
【００３０】
板状コーナー取付片６２は下部水密ゴム５の断面略Ｌ字型水密ゴム５１の板状取付片５１ｂと同一断面形状からなっている。板状コーナー取付片６２の端部と下部水密ゴム５の断面略Ｌ字型水密ゴム５１の板状取付片５１ｂの端部とは、例えば接着剤によって一体的に連接されている。断面略Ｐ字型コーナー片６１は断面方向が上下向きになるように設けられている。下部コーナー部水密ゴム６の板状コーナー取付片６２は横引き式ゲ−ト１の下部コーナー部の下端側に取り付けられる。
【００３１】
側部補助密着片６３は断面略Ｐ字型コーナー片６１の丸み状密着片６１ａの外周側に密着して設けられている。この側部補助密着片６３は水圧により開口部２１の全閉時に横引き式ゲ−ト１の下部コーナー部が位置する上記開口部２１の下部側の側部戸当り２１ａに密着して水密を図る構造になっている。側部補助密着片６３の密着面は丸み状密着片６１ａの密着先端面と平面から見て同じ位置にあり、又側部戸当り２１ａと平行に形成されている。
【００３２】
側部補助密着片６３は、その上端が丸み状密着片６１ａの外周側に中間高さ位置に密着して設けられ、斜め下向きに傾斜する傾斜辺の傾斜下端は傾斜板状コーナー密着片６４の上面に接している。つまり、側部補助密着片６３は垂直辺、傾斜辺及び底辺からなる三角形状になっていて、垂直辺は丸み状密着片６１ａに密着して設けられ、底辺は傾斜板状コーナー密着片６４の上面に密着して設けられている。
【００３３】
傾斜板状コーナー密着片６４は斜め下向きに形成されていて、その先端側の下面が上記開口部２１の底面と同一平面の底面に軽く接触していて横引き式ゲ−ト１の移動時の摺動抵抗は小さくなっている。又傾斜板状コーナー密着片６４の片方の端部は、断面略Ｐ字型コーナー片６１の丸み状密着片６１ａの外周側に周り込み、さらに該丸み状密着片６１ａの側部戸当り２１ａとの密着先端面と平面から見て同じ位置まで延設されている。
【００３４】
延設された傾斜板状コーナー密着片６４の片方の端部が、水圧により開口部２１の全閉時に横引き式ゲ−ト１の下部コーナー部が位置する上記開口部２１の下部側の側部戸当り２１ａに密着し、又傾斜板状コーナー密着片６４の先端側の下面が水圧により撓んで底面に密着することで、下部コーナー部からの水漏れを防いでいる。
【００３５】
傾斜板状コーナー密着片６４は、下部水密ゴム５の断面略Ｌ字型水密ゴム５１の傾斜板状密着片５１ａと同一断面形状からなっている。傾斜板状コーナー密着片６４の他方の端部と下部水密ゴム５を構成する断面略Ｌ字型水密ゴム５１の傾斜板状密着片５１ａの端部とは、左右で例えば接着剤によって一体的に連接されている。
【００３６】
下部水密ゴム５の断面略Ｌ字型水密ゴム５１の傾斜板状密着片５１ａの先端には、密着面積を広げて水密性を高める底部補助密着片５２が必要に応じて設けられる。同様に、下部コーナー部水密ゴム６の傾斜板状コーナー密着片６４の先端には、密着面積を広げて水密性を高める底部補助密着片６５が必要に応じて設けられる。底部補助密着片５２，６５には例えば厚みの薄い水密ゴムが使用される。
【００３７】
下部コーナー部水密ゴム６の傾斜板状コーナー密着片６４及び断面略Ｐ字型コーナー片６１の下面側には、水密の補助と傾斜板状コーナー密着片６４の捲れ込み防止用のコーナー底部補助片６６が必要に応じて設けられる。コーナー底部補助片６６には例えばスポンジゴムが使用される。
【００３８】
次に、上記発明を実施するための最良の形態の構成に基づく作用について以下説明する。
高潮や津波等が予想されて防波堤２の開口部２１を閉鎖する必要が生じると、開口部２１を全開状態にしていた横引き式ゲ−ト１を開口部２１側に向けて横移動させる。移動中にあっては、横引き式ゲ−ト１の下部水密ゴム５を構成する断面略Ｌ字型水密ゴム５１の傾斜板状密着片５１ａの先端側の下面は底面に軽く接触するのみであるため、摺動抵抗も小さく、移動の妨げとなることはない。
【００３９】
横引き式ゲ−ト１は下端側に下部ガイドローラ１４が取り付けられ、又全開位置の横引き式ゲ−ト１の底面には下部ガイドレール２３が敷設されているため、横引き式ゲ−ト１の下部ガイドローラ１４は下部ガイドレール２３上に沿って途中まではスムーズに移動させることができる。また、横引き式ゲ−ト１は上端側の上部ガイドローラ１３が上部ガイドレール２２の溝内に嵌合されているので、傾いたりすることなく上部ガイドレール２２に沿って移動させることができる。
【００４０】
開口部２１側に向けて横移動させた横引き式ゲ−ト１は、開口部２１を徐々に狭めて行き、開口部２１を完全に塞いだ状態になった頃に、移動先端側の側部の下部が全閉ストッパー２５に当接して停止し、開口部２１を全閉する。
【００４１】
開口部２１を全閉した横引き式ゲ−ト１の周縁側に取り付けられた上部水密ゴム３及び両側部水密ゴム４は、同一断面形状の断面略Ｐ字型水密ゴム３１，４１の丸み状密着片３１ａ，４１ａの先端が開口部２１の周縁側の上部戸当りや側部戸当り２１ａに接触する。また、横引き式ゲ−ト１の下部水密ゴム５は、断面略Ｌ字型水密ゴム５１の傾斜板状密着片５１ａの先端側の下面が開口部２１より少し海側ａ寄りの底面に軽く接触する。
【００４２】
海側ａの水位が上昇すると、開口部２１を全閉した横引き式ゲ−ト１には水圧が作用して、その水圧により、横引き式ゲ−ト１の上部水密ゴム３及び両側部水密ゴム４を開口部２１の周縁側の上部戸当りや側部戸当り２１ａに押し付ける。上部水密ゴム３及び両側部水密ゴム４を構成する断面略Ｐ字型水密ゴム３１，４１の丸み状密着片３１ａ，４１ａは少し潰れた状態で開口部２１の周縁側の上部戸当りや側部戸当り２１ａに密着して水漏れを防ぐ。
【００４３】
開口部２１を全閉した横引き式ゲ−ト１の下部水密ゴム５を構成する断面略Ｌ字型水密ゴム５１の傾斜板状密着片５１ａは、水圧によって撓んで、下向きに傾斜する先端側の下面が開口部２１より少し海側ａ寄りの底面に密着して水漏れを防ぐ。
【００４４】
横引き式ゲ−ト１の両側部水密ゴム４と断面形状が異なる下部水密ゴム５とが交わる下部コーナー部には下部コーナー部水密ゴム６が取り付けられていて、下部コーナー部水密ゴム６の断面略Ｐ字型コーナー片６１の丸み状密着片６１ａが水圧により少し潰れて開口部２１の両下端側の側部戸当り２１ａに密着する。また、下部コーナー部水密ゴム６の傾斜板状コーナー密着片６４の先端側の下面が水圧により撓んで、開口部２１寄り少し海側ａの底面に密着する。さらに、側部補助密着片６３が水圧により開口部２１の両下端側の側部戸当り２１ａに密着する。これにより、横引き式ゲ−ト１の両下部コーナー部は下部コーナー部水密ゴム６によって水漏れが防がれる。
【００４５】
このようにして、横引き式ゲ−ト１の周縁側に取り付けた上部水密ゴム３、両側部水密ゴム４、下部水密ゴム５及び両下部コーナー部水密ゴム６によって水密が図られて、防波堤２の開口部２１の陸側ｂに向けての浸水を防止することができる。
【００４６】
なお、この発明は上記発明を実施するための最良の形態に限定されるものではなく、この発明の精神を逸脱しない範囲で種々の改変をなし得ることは勿論である。
【図面の簡単な説明】
【００４７】
【図１】（Ａ）はこの発明を実施するための最良の形態を示す正面図である。  （Ｂ）は同図（Ａ）のＡ−Ａ矢視断面図である。
【図２】この発明を実施するための最良の形態を示す中間部分を省略した横引き式ゲ−トの四方水密式の水密ゴムの構成図である。
【図３】（Ａ）はこの発明を実施するための最良の形態を示す左側の下部コーナー部の平断面図（同図（Ｂ）のＢ矢視断面図）である。  （Ｂ）は同図（Ａ）のＡ矢視断面図である。  （Ｃ）は同図（Ｂ）の底面図（Ｃ矢視図）である。  （Ｄ）は同図（Ｂ）のＤ−Ｄ矢視断面図である。
【図４】（Ａ）はこの発明を実施するための最良の形態を示す右側の下部コーナー部の平断面図（同図（Ｂ）のＢ矢視断面図）である。  （Ｂ）は同図（Ａ）のＡ矢視断面図である。  （Ｃ）は同図（Ｂ）の底面図（Ｃ矢視図）である。  （Ｄ）は同図（Ｂ）のＤ−Ｄ矢視図である。
【図５】この発明を実施するための最良の形態を示す下部コーナー部水密ゴムの斜視図である。
【図６】（Ａ）は従来の段差式水密構造の説明図である。  （Ｂ）は従来の扉体昇降式水密構造の全開、走行時の説明図である。  （Ｃ）は従来の扉体昇降式水密構造の全閉時の説明図である。
【図７】この発明に係る下部コーナー部水密ゴムを使用しないで、側部水密ゴムに断面略Ｐ字型水密ゴムを使用し、下部水密ゴムに断面略Ｌ字型水密ゴムを使用した場合の水密ゴムの説明図である。
【符号の説明】
【００４８】
１    横引き式ゲ−ト
１１    上部張出体
１２    下部張出体
１３    上部ガイドローラ
１３ａ  垂直軸
１４    下部ガイドローラ
２    防波堤
２１    開口部
２１ａ  側部戸当り
２２    上部ガイドレール
２２ａ  取付片
２３    下部ガイドレール
２４    全開ストッパー
２５    全閉ストッパー
３    上部水密ゴム
３１    断面略Ｐ字型水密ゴム
３１ａ  丸み状密着片
３１ｂ  板状取付片
４    側部水密ゴム
４ａ  接合
４１    断面略Ｐ字型水密ゴム
４１ａ  丸み状密着片
４１ｂ  板状取付片
５    下部水密ゴム
５１    断面略Ｌ字型水密ゴム
５１ａ  傾斜板状密着片
５１ｂ  板状取付片
５２    底部補助密着片
６    下部コーナー部水密ゴム
６ａ  連接
６ｂ  連接
６１    断面略Ｐ字型コーナー片
６１ａ  丸み状密着片
６１ｂ  板状取付片
６２    板状コーナー取付片
６３    側部補助密着片
６４    傾斜板状コーナー密着片
６５    底部補助密着片
６６    コーナー底部補助片
ａ    海側
ｂ    陸側
Ｃ    横引き式ゲ−トの移動距離
Ｄ    開口部の全開時の開口幅
Ｓ    下部ガイドレールの長さ
【図１】
2007291759.tif 000003
【図２】
2007291759.tif 000004
【図３】
2007291759.tif 000005
【図４】
2007291759.tif 000006
【図５】
2007291759.tif 000007
【図６】
2007291759.tif 000008
【図７】
2007291759.tif 000009